【事件の表示】
　平成４年特許願第３２１５６８号「画像形成装置の自動露光調整方法」拒絶査定に対する審判事件［平成６年６月１４日出願公開、特開平６−１６７８６６］について、次のとおり審決する。
【結　論】
　本件審判の請求は、成り立たない。
【理　由】
１. 手続きの経緯および本願発明
　平成４年特許願第３２１５６８号（以下、「本願」と言う。）は、平成４年１２月１日に出願され、平成８年７月１９日に審査請求され、平成１２年５月１２日付けで拒絶査定された。その後、平成１２年６月２０日にこの拒絶査定に対して審判が請求され、平成１２年１１月２０日付けで前置報告がされた。
　本願に係る発明は、平成１１年３月１５日、平成１１年８月２３日、平成１１年１２月２７日、平成１２年６月２０日および平成１２年７月１４日に提出された手続補正書により補正された明細書および図面の記載からみて、その特許請求の範囲の請求項１に記載された次のとおりのものである。
　
【請求項１】
　電子写真技術を用いた画像形成装置の自動露光調整方法において、
　帯電させた感光体を露光せずに現像し、現像されたトナー濃度を検出し、検出濃度と予め定められた濃度が所定差以内になるように表面電位を補正し、
　静電潜像形成用光源の強度を検出し、
　検出された静電潜像形成用光源の強度と、予め定められた光源の強度又は画像形成装置の設置時の初期光源強度とを比較して差分を求め、
　前記差分が許容範囲を越えていれば、該差分だけ複写原稿の濃度に対する画像形成条件の対応表を補正し、
　グレイパッチ像を作成し、現像し、画像濃度を検出し、検出濃度と予め定められた濃度が所定差以内になるように光源電圧を更新して、
　複写原稿の予備スキャンを行い、前記対応表に基づいて予備スキャンで得られた複写原稿の濃度に対する画像形成条件を変化させることを特徴とする画像形成装置の自動露光調整方法。
　
　なお、以下では、請求項１に係る発明を「本願発明」と言う。
　
２. 原査定の拒絶理由
　本願は、平成１１年１０月２２日付け拒絶理由通知書に記載された理由によって拒絶査定されたものであって、当該理由は、概略次のとおりである。
　
「本願発明は、その出願前日本国内において頒布された下記の刊行物１〜６に記載された発明に基づいて、その出願前にその発明の属する技術の分野における通常の知識を有する者が容易に発明をすることができたものであるから、特許法第２９条第２項の規定により特許を受けることができない。
　
　　刊行物１：特開昭５９−１３５４８８号公報
　　刊行物２：特開昭５８−２４１７０号公報
　　刊行物３：特開平３−１９８０７６号公報
　　刊行物４：特開昭６１−１５１６４１号公報
　　刊行物５：特開昭６４−８４２６０号公報
　　刊行物６：特開平３−１１９３７１号公報」
　
３. 刊行物に記載された事項
３.１. 刊行物１
　刊行物１には、以下の（１Ａ）〜（１Ｆ）の事項が図面とともに記載されている。
　
（１Ａ）第１ページ左下欄第１７行から第１９行まで
「本発明は、形成される画像の濃度を自動的に適正化する手段を有する画像形成装置に関するものである。」
　
（１Ｂ）第２ページ左上欄第１５行から右上欄第６行まで
「ところが、一般にこの種の濃度調整は、受光装置１５が常に安定している場合を前提としており、標準板１４と原稿１３からの反射光から得られる情報に基づき、光源点灯電圧制御、現像バイアス電圧制御、露光量制御、絞り制御または帯電量制御等の画像形成条件の一つまたは複数を可変することで行なわれているため、情報体からの輝度信号を検知する手段である受光装置１５が特性変化したり、ほこり等の何らかの原因で変化を生じた場合は、初期に決められた特性に反し、濃度検知が正確に行なわれなくなる。そのために、所望の画像濃度のものを得ることができなくなる。」
　
（１Ｃ）第２ページ右上欄第１２行から第１７行まで
「第２図は、受光装置１５出力Ａと光源点灯電圧Ｖとの関係及び受光装置１５出力Ａと原稿濃度Ｄとの関係を示す特性曲線である。ここで、曲線１７、１７１は夫々初期において感光体１の特性及び光源８が正常であり、その出力等に応じて適正な状態に保たれているときの特性曲線である。」
　
（１Ｄ）第３ページ左上欄第５行から右上欄第１０行まで
「第３図は本発明の第１実施例の要部説明図である。…標準板１４は原稿１３と同一平面状に位置しており…。標準板１４は通常の白色の原稿と同じ程度の反射濃度を有する濃度ｄ０（＝０．０８）であり、正常な光源８に初期設定電圧Ｖ０（＝６５（Ｖ））を印加した際の正常な出力光で正常な受光装置１５が初期出力値Ａ０（＝１０）を与える反射光を発する。また、光源８は装置の使用開始時に標準板１４を露光し、画像形成時に原稿１３を濃度検知又は潜像形成のために露光する。…３０は光源８からの光量を検知する検知器…。２９は光源８に印加する電圧を可変する制御手段で、光源８に…初期電圧Ｖ０を印加している。この初期電圧Ｖ０は…第２図に示した曲線１７、１７１に適合した制御を行わせるための所定の光源光量を出力せしめる。しかし、光源が出力変化或いは異常によって検知器３０が所定の光源光量を得ていない時は、制御手段２９は光源８に印加する電圧を制御して、光源光量を所定量に安定化する。この行程によって、光源出力の安定化が達成される。」
　
（１Ｅ）第３ページ右上欄第１１行から右下欄第６行まで
「次に１６は画像濃度の自動調整手段で、操作者が自動調整モードを選択した際作動し原稿１に基づいて得られる画像を自動的に適正化するための信号を光源制御手段２９へ送る。…
　さて、操作者により画像濃度の自動調整モードが選択されると、前述した所定の光源光量で標準板１４が露光され、その反射光が受光装置１５に入力され、この後この反射光に応じた出力信号を受光装置１５が画像濃度自動調整手段１６へ送る。この時画像濃度自動調整手段１６内ではスイッチ３４、３５が第３図の実線で示す位置にあり、画像適正特性を補正する補正手段３１のみが作動する。補正手段３１は、前述した所定の特性関係を示す１７、１７１を、標準板１４の濃度ｄ０に対応した受光装置１５の出力信号に応じて第２図に示す受光装置出力Ａ軸に沿って平行移動可能にするものである。例えばこの出力信号が正常の場合の点Ａ０の値１０を示す時は前述した曲線１７、１７１が選択されるが、受光装置１５が異常の場合、この信号はＡ０ではなくて、例えば点２０の値９を示す。依って、このような場合、補正手段３１は値９に対応する信号が点Ａ０に対応した曲線１７１の光源点灯電圧Ｖの値６５（Ｖ）を示すように曲線１７１を平行移動した曲線１８１…を選択する。同様に補正手段３１は曲線１７に対応する曲線１８…を選択する。…
　この選択された曲線１７１又は曲線１８１は、補正された画像適正特性として演算手段３３に送られる。」
　
（１Ｆ）第３ページ右下欄第７行から第４ページ左上欄第１１行まで
「この後スイッチ３４、３５はリレーされて第３図に示すように破線の位置へ切り変わり、通常の画像濃度検知モードになる。同時に光源８は所定の光源光量を発光しながら原稿１３の一部又は全部を操作する。すると、受光装置１５は原稿１３からの反射光を入力し、それに対応する信号を濃度検知手段３２へ送る。濃度検知手段３２は、公知の演算手段（例えば積分や比較等により原稿の平均濃度或いは下地濃度、原稿種類を決定するもの等）により、原稿濃度を検知する。従って原稿１３に対応した原稿濃度を示す信号が演算手段３３に送られる。
　この演算手段３３は、補正手段３１によって選択された補正後の画像適正特性（曲線１８１等）と、濃度検知手段３２からの出力信号に基づき、最適な光源点灯電圧Ｖ…を決定する。…つまり、原稿濃度に適した光源点灯電圧Ｖが受光装置１５の状態にかかわらず安定して決定される。」
　
３.２. 刊行物４
　刊行物４には、以下の（４Ａ）および（４Ｂ）の事項が記載されている。
　
（４Ａ）第２ページ左下欄第２０行から右下欄第２行まで
「次に、本実施例の複写機におけるランプ（蛍光灯）３の光量制御及び自動画像濃度制御（ＡＥ機能）について説明する。」
　
（４Ｂ）第５ページ右上欄第１１行から第１７行まで
「尚、本実施例のＡＥ機能では複写のための原稿露光と同時に原稿濃度の測定を行なったが、複写のための原稿露光前に原稿濃度測定のためのプリスキャンを実行し、このプリスキャンによって得たデータにより現像バイアスを決定した後に、複写のための本スキャン（原稿露光）を実行する構成でもよい。」
　
３.３. 刊行物５
　刊行物５には、以下の（５Ａ）〜（５Ｌ）の事項が図面とともに記載されている。
　
（５Ａ）第１ページ左下欄第１３行から第１７行まで
「この発明は、電子写真方式の複写装置に関する。
従来技術
　複写装置の画像濃度の変動要因としては、トナー不足、感光体の摩耗劣化、感光体の温度変動、光学系の汚れ、露光ランプの劣化等々がある。」
　
（５Ｂ）第１ページ右下欄第９行から第１２行まで
「この発明は…トナー濃度と他の要因とを分けて検知し、トナー以外による画像濃度の変動を抑えることを目的とする。」
　
（５Ｃ）第３ページ左上欄第１５行から右上欄第１９行まで
「また、コンタクトガラス１１の手前部（スキャナホームポジション側）に基準パターン作成用の原稿１００が装着されている。また、クリーニングユニット３５の手前部分（下側）には、第２１図に細部を示すようにパターン濃度検出器１０１が配設されている。このパターン濃度検出器１０１には、発光部１０１ａと受光部１０１ｂと増幅器１０１ｃとを備えている。
　そこで、第１図のランプ１２を点灯させ、スキャナをＡ方向に移動させると、コンタクトガラス１１上の複写用原稿に先立って基準パターン作成用の原稿１００がミラー、レンズ等を介して感光体ドラム２０にスリット状に投影される。
　一方、…感光体ドラム２０を帯電させておけば、前記投影像により感光体ドラム２０上に原稿１００の潜像が作られる。
　それが現像されると、第２１図に示すように複写用原稿画像Ｐｃの手前部に基準パターン像Ｐｒが作られ、それは…クリーニングされるまで感光体ドラム２０上に残る。
　この基準パターンは、約１５ｍｍ×２０ｍｍ程度の大きさで特定の濃度を持った原稿の像で、露光量の変化をリニアに検出する目的を持っている。」
　
（５Ｄ）第３ページ右上欄第２０行から左下欄第１７行まで
「次に、第２図はこの複写装置の操作パネルの平面図の一部で、この実施例に係る部分を示す。
　同図を参照すると、この操作パネルには、…画像の濃淡を指定する露光調整キー１０３、１０４及び露光目盛表示１０２等が装備されている。」
　
（５Ｅ）第４ページ左上欄第３行から第５行まで、右上欄第１行から第３行まで、および、左下欄第１６行から第１７行まで
「第４図は、この複写装置の制御部によるシーケンス動作全体を示すメインルーチンのフローチャートである。」
「第６図〜第９図は、第４図のメインルーチンにおける各処理の内容を示すセグメントフロー図である。」
「次に第１０図は、第８図のコピー処理ルーチンの一部であるリピート処理のルーチンである。」
　
（５Ｆ）第５ページ左上欄第９行から右上欄第２行まで
「次に、第１３図のフローチャートは、第１０図におけるランプ電圧補正処理ルーチンである。
　まず、…パターン濃度検出器１０１からのパターンデータを読み込む。
　次に、パターンデータと基準値の比を求め、その基準値比の領域区分を求める。そして、その領域区分によりデータテーブルを用いて電圧比を求め、それによってランプ基準電圧を補正する。」
　
（５Ｇ）第５ページ右下欄第５行から第６ページ左上欄第１７行まで
「次に、この実施例による基準濃度パターンのパターン濃度を検出し、その検出結果に応じて露光量の基準値を補正する露光量基準値補正手段としての機能について第１７図以降の各図を参照して説明する。
　第１７図は、感光体ドラム２０上に形成されたパターンの濃度を一定に保つためのパターン反射光量比と補正露光量比との関係を示す図である。
　露光量とパターン反射光量は正比例（露光量を増加させればパターン濃度は低くなり、パターン反射光量は増大する）関係にあり、従ってパターン濃度を一定に保つには前記の関係を逆比例関係にすればよい。
　　パターンの基準反射光量をＬｏｓ
　　　　　　　検出反射光量をＬｏｘ
　　　　　　　基準露光量を　Ｌｉｓ
　　　　　　　補正露光量を　Ｌｉｘ
とすれば、
　　検出反射光量／基準反射光量
　　＝基準露光量／補正露光量
すなわち
　　Ｌｏｘ／Ｌｏｓ＝Ｌｉｓ／Ｌｉｘ
となる。
　第１８図は、ハロゲンランプ電圧比と露光量比との関係を示す図で指数特性を示す。
　　ハロゲンランプの基準電圧をＶＬｓ
　　　　　　　　　　補正電圧をＶＬｘ
とすれば
　　Ｌｉｘ＝Ｌｉｓ（ＶＬｘ／ＶＬｓ）β　
となる。従ってパターン反射光量と補正ランプ電圧との関係は
　　ＶＬｘ＝（Ｌｏｘ／Ｌｏｓ）−１／β・ＶＬｓ
となる。」
　
（５Ｈ）第６ページ右上欄第８行から第７ページ右上欄第１３行まで
「第１９図は、この複写装置の露光目盛とランプ電圧との関係を示したもので、ＶＬはランプ電圧でＶＬｓはランプ基準電圧（この例では６３Ｖ）である。また、第１表は、その関連特性値（β＝３．１９として算出）を示すテーブルである。
　なお、Ｌは露光量で、ＬｓはＶＬ＝ＶＬｓの時の基準露光量である。
　第２０図は、ランプレギュレータで、…ハロゲンランプ１２（第１図参照）を設定電圧で点灯するようになっている。…
　ランプ電圧は、最低４７Ｖから最大９０Ｖまで１６段階に制御される。
　第２１図は、第１図で説明したパターン濃度検出器１０１の詳細を示したもので、…基準濃度パターンＰｒを…発光部…で照射し、…パターン反射光量に応じた検出信号を…パターン反射光量データとして出力する。」
　
（５Ｉ）第７ページ左下欄第９行から右下欄第１５行まで
「そこで、…パターン濃度検出器１０１の出力すなわちパターン反射光量データを…読み込む…。
　第３表は、パターン反射光量から補正電圧値を求める際、…用いる近似方式のデータテーブルである。
　次に、読み込んだデータＶｏｓと基準値Ｖｏｘ…と比較し、Ｖｏｘ／Ｖｏｓを求める。この比が検出反射光量Ｌｏｘと基準反射光量Ｌｏｓとの比Ｌｏｘ／Ｌｏｓに相当する。
　次に、この値が第３表に示したデータテーブルのどの領域にあるかを演算し、該当ランプ電圧比を抽出する。抽出された電圧比に第３図のＲＡＭ１１２に格納されている基準電圧データ（露光目盛毎に異なる）を呼び出して乗算を行ない、補正電圧を求める。
　その補正電圧を基準電圧データとしてＲＡＭ１１２に再格納する。
　次のコピー時にランプ１２を点灯させる際には、ＲＡＭ１１２より露光目盛に対応する補正されたランプ電圧データをランプレギュレータ１３０…に送り、ランプ電圧をコントロールする。」
　
（５Ｊ）第７ページ右下欄第１６行から第８ページ右上欄第４行まで
「今、第２図の露光目盛表示１０２の露光目盛４（標準）のときに、ランプ電圧が６３Ｖに設定されている複写装置において、何等かの理由により画像濃度が２目盛ほど暗くなったとする…。
　２目盛暗いことは、第１表のテーブルよりＬ／Ｌｓが０．７２７に減衰したことに該当する。
　従って、パターン検出データ比を求めると、
　　Ｖｏｘ／Ｖｏｓ＝０．７２７＝Ｌｏｘ／Ｌｏｓ
となるから…第３表のデータテーブルよりランプ電圧比
　　（Ｌｏｘ／Ｌｏｓ）−１／β＝１．０９
が抽出される。
　第３図のＲＡＭ１１２より露光目盛毎のランプ電圧データを呼び出し、上記電圧比を乗じると各補正値は第１表の補正値１に示す値となる。この値を実際の制御電圧即ち、第２表のデータテーブルに示す１６ステップの電圧に直して第１表の補正値２のようにし、これをＲＡＭ１１２に再格納する。
　次のコピー時には、露光目盛４の時にランプ電圧は６９Ｖになるため、露光量は（６９／６３）３．１９＝１．３４倍になり、露光量の減衰（＝０．７２７）を９７％（０．７２７×１．３４）回復させることが出来る。」
　
（５Ｋ）第８ページ右上欄第１７行から左下欄第１行まで
「また、ここでは特に説明していないが、自動露光システムと組み合わせることにより（自動露光は原稿の地肌濃度を検知して第１９図の露光目盛を自動設定させるものである）、ユーザは常に均一な画像を得ることが出来る。」
　
（５Ｌ）第６ページ左下欄の第１表および第７ページ左上欄の第３表
　第１表には、露光目盛とランプ電圧（初期値および補正値）との対応が示されている。
　第３表には、基準光量に対する比で表したパターン反射光量と、そのパターン反射光量を基準光量に等しくするために必要なランプ電圧を基準電圧に対する比で表したものとの対応が示されている。
　
　ここで、第１３図に示されたランプ電圧補正処理ルーチンに着目すると、上記（５Ｉ）に記載されているように、パターン濃度検出器の出力すなわちパターン反射光量データが読み込まれ、このデータが基準値と比較される。この比較結果に基づいて、ＲＡＭに格納されている基準電圧データが補正され、その補正されたデータが、新たな基準電圧データとして再びＲＡＭに格納される。上記（５Ｊ）には、この操作の具体例が記載されており、それによると、露光目盛が標準値のときにランプ電圧が６３Ｖに設定されている複写装置において、画像濃度が２目盛暗くなったとき、上記（５Ｉ）に記載された操作により、露光目盛が標準値のときのランプ電圧が６９Ｖに補正される。この結果、減衰した露光量を９７％回復させることができる。画像濃度が暗くなることは、パターン濃度の増加およびパターン反射光量の低下を意味しており、露光量の増加は、上記（５Ｇ）に記載されているとおり、パターン濃度の低下およびパターン反射光量の増加を意味しているから、結局のところ、第１３図に示されたランプ電圧補正処理ルーチンは、パターン反射光量データを検出し、このデータが基準値に等しくなるようにランプ電圧（すなわち、基準電圧データ）を補正するものであることが分かる。
　ところで、ランプ電圧補正処理ルーチンは、ＲＡＭに格納されている基準電圧データを補正し、その補正されたデータを、新たな基準電圧データとするものであるが、この基準電圧データは、上記（５Ｉ）に記載されているように、露光目盛毎に異なっている。そうすると、露光目盛と基準電圧データとは、所定の対応関係を有しており、その基準電圧データ全体が、ランプ電圧補正処理ルーチンによって補正されるのであるから、このルーチンによって、露光目盛と基準電圧データとの対応関係が自動的に補正されると言うことができる。
　一方、上記ランプ電圧補正処理ルーチンは、上記（５Ｅ）の記載および上記（５Ｆ）冒頭の「第１３図のフローチャートは、第１０図におけるランプ電圧補正処理ルーチンである。」という記載から、刊行物５に記載された複写装置の制御部により実行されるメインルーチンの一部であることが分かる。そして、上記（５Ｋ）に記載されたとおり、刊行物５に記載された複写装置は、露光目盛を自動的に選択する自動露光システムと組み合わせることができる。この場合、上記メインルーチンは、自動露光、すなわち、原稿の地肌濃度の検知および露光目盛の自動設定（上記（５ｋ）参照）も行うことになるから、上記メインルーチンの一部である上記ランプ電圧補正処理ルーチンは、結局のところ、原稿の地肌濃度と基準電圧データ（すなわち、ランプ電圧）との対応関係を自動的に補正する自動露光調整方法の一部として把握することができる。
　刊行物５に記載された複写機では、そこに予め装着された基準パターン作成用の原稿が用いられているが、この原稿は、上記（５Ｃ）末尾に記載されているように、「特定の濃度を持った原稿」である。
　以上のことをまとめると、刊行物５には、
　
「電子写真方式の複写装置の自動露光調整方法において、
　特定濃度を持った基準パターン作成用原稿の潜像を作り、それを現像し、その結果得られた基準濃度パターン像のパターン反射光量を検出し、このパターン反射光量を基準値と比較し、パターン反射光量が基準値に等しくなるようにランプ電圧を補正し、
　これと同時に原稿の地肌濃度とランプ電圧との対応関係を補正する複写装置の自動露光調整方法」
　
が記載されている。
　
３.４. 刊行物６
　刊行物６には、以下の（６Ａ）〜（６Ｆ）の事項が記載されている。
　
（６Ａ）第１ページ左下欄第１４行から第１５行まで
「本発明は、電子写真プロセスを用いた画像形成装置における画像調整制御方式に関する。」
　
（６Ｂ）第３ページ左上欄第９行から右上欄第１１行まで
「第３図は複写機Ａに用いられている入出力機器の配置関係を示すブロック図である。
　同図において、感光体ベルト４１の表面に接近した位置に、感光体ベルト４１の表面電位ＶＨを測定するため表面電位計１０１、及び感光体ベルト４１の表面のトナー像の濃度を測定するためのＡＩＤＣセンサー１０２がそれぞれ設けられ…ている。…また現像器４４には、現像剤中のトナー濃度…を…検出するためのＡＴＤＣセンサー…１０３が設けられている。
　そして、フラッシュランプ２１、２２の光量を段階的に制御可能なランプ点灯回路２１２…が設けられている。」
　
（６Ｃ）第３ページ右下欄第１０行から第１６行まで
「第４図は帯電チャージャ４２によって感光体ベルト４１に与える表面電位ＶＨの設定レベルを示す図である。なお、帯電チャージャ４２の設定レベルのことを『ＨＶレベル』という。ＨＶレベルは、ＣＰＵ８１から…制御信号（設定データ）を出力することにより設定される。」
　
（６Ｄ）第４ページ左下欄第１１行から第１３行まで
「また、トナー重量比Ｔ／Ｃの値も、設定レベル（ＴＣレベル）を設定することにより段階的に制御可能である。」
（６Ｅ）第５ページ右上欄第５行から左下欄第１９行まで
「画像調整を行うにあたり、まず、ＨＶレベル、ＥＸＰレベル、ＴＣレベルの前回までの最終のデータをメモリ８２から読み出し、それぞれのレベルとして設定する（ステップ＃３１）。
　感光体ベルト４１、現像器４４、クリーニング装置５０、メインイレーサ５１などを駆動する（ステップ＃３２）。
　帯電チャージャ４２をオンする（ステップ＃３３）。
　感光体ベルト４１の表面電位ＶＨ（暗電位Ｖ０）を表面電位計１０１によって測定する（ステップ＃３４）。
　感光体ベルト４１にテスト用のトナー像（テストパターン）を現像する（ステップ＃３５）。これによって黒ベタの画像ができる。
　テストパターンの濃度をＡＩＤＣセンサー１０２により検出する（ステップ＃３６）。
　ＡＩＤＣセンサー１０２の出力から、トナー像の濃度が目標どおり適正か否かを判断する（ステップ＃３７）。
　適正でない場合には、ＨＶレベルが最大レベルかどうかを判断する（ステップ＃５１）。
　…
　ステップ＃５１においてＨＶレベルが最大レベルでなければ、ＨＶレベルを１レベル上げて（ステップ＃５５）、ステップ＃３３へ進む。
　フラッシュランプ２１、２２を発光させる（ステップ＃３８）。
　感光体ベルト４１の露光後の帯電量、すなわち明電位ＶＲｒを測定する（ステップ＃３９）。」
　
（６Ｆ）第５ページ右下欄第１７行から第６ページ左上欄第１行まで
「上述の画像調整のフローチャートにおいては、所定の画像濃度ＩＤを確保するため、まず、ＨＶレベルを調整し、ＨＶレベルが最大レベルに達してそれ以上の調整が不可能となれば、次にＴＣレベルを調整する。」
　
４. 対比・判断
４.１. 対比
　本願発明と刊行物５に記載された発明とを比較すると、刊行物５に記載された発明の「電子写真方式の複写装置」、「特定濃度を持った基準パターン作成用原稿の潜像」、「基準濃度パターン像のパターン反射光量」、「基準値」、「ランプ電圧」および「補正」は、それぞれ本願発明の「電子写真技術を用いた画像形成装置」、「グレイパッチ像」、「画像濃度」、「予め定められた濃度」、「光源電圧」および「更新」に相当する。
　刊行物５に記載された発明の「パターン反射光量を基準値と比較し、パターン反射光量が基準値に等しくなるように」は、本願発明の「（グレイパッチ像を現像した画像の）検出濃度と予め定められた濃度が所定差以内になるように」に相当する。
　本願発明の「画像形成条件」の具体例として、明細書の発明の詳細な説明には、「ＡＥセンサ出力とコピー条件（例えば、コピーランプ電圧）との対応カーブ１Ｖ（５Ｖ−４Ｖ）分補正し」（段落００３８）と記載されているから、本願発明の「画像形成条件」に「光源電圧」が含まれていることは明らかである。既に述べたとおり、刊行物５に記載された発明の「ランプ電圧」は、本願発明の「光源電圧」に相当する。また、刊行物５に記載された発明の「原稿の地肌濃度」が本願発明の「複写原稿の濃度」に相当することは、当業者にとって自明である（この点について、必要であれば、例えば上記（１Ｆ）に原稿濃度の例として原稿の平均濃度や下地濃度が挙げられていることを参照されたい）。したがって、刊行物５に記載された発明の「原稿の地肌濃度とランプ電圧との対応関係を補正」と本願発明の「複写原稿の濃度に対する画像形成条件の対応表を補正」とは、「複写原稿の濃度に対する光源電圧の対応表を補正」という点で一致する。
　以上のことから、本願発明と刊行物５に記載された発明とは、
　
「電子写真技術を用いた画像形成装置の自動露光調整方法において、
　グレイパッチ像を作成し、現像し、画像濃度を検出し、検出濃度と予め定められた濃度が所定差以内になるように光源電圧を更新する画像形成装置の自動露光調整方法であって、
　複写原稿の濃度に対する光源電圧の対応表を補正する画像形成装置の自動露光調整方法」
　
である点で一致し、以下の点で相違する。
　
（相違点１）
　本願発明は、グレイパッチ像の作成に先立ち、「帯電させた感光体を露光せずに現像し、現像されたトナー濃度を検出し、検出濃度と予め定められた濃度が所定差以内になるように表面電位を補正」するのに対し、刊行物５に記載された発明は、このような補正を行っていない点。
　
（相違点２）
　複写原稿の濃度に対する光源電圧の対応表の補正が、本願発明では、グレイパッチ像の作成前に、かつ、「静電潜像形成用光源の強度を検出し、検出された静電潜像形成用光源の強度と、予め定められた光源の強度又は画像形成装置の設置時の初期光源強度とを比較して」求めた差分に基づいて行われるのに対し、刊行物５に記載された発明では、グレイパッチ像の作成後に、検出された画像濃度と予め定められた濃度とを比較して求めた差分に基づいて行われる点。
　
（相違点３）
　本願発明は、さらに「複写原稿の予備スキャンを行い、対応表に基づいて予備スキャンで得られた複写原稿の濃度に対する画像形成条件を変化させる」のに対し、刊行物５に記載された発明は、このような操作を行わない点。
　
４.２. 相違点の検討
４.２.１. 相違点１について
　刊行物６には、電子写真プロセスを用いた画像形成装置において、感光体ベルトの暗電位を測定した後、黒ベタ画像のテストパターンを現像し、このテストパターンのトナー濃度が目標どおりになるように感光体ベルトの表面電位を調整することが記載されている（上記（６Ａ）、（６Ｃ）および（６Ｅ）参照）。感光体ベルトの暗電位を測定した後、直ちに現像が行われていること、テストパターンが黒ベタ画像であること、および、感光体ベルトの表面電位の調整後に初めてフラッシュランプが発光されていること（以上、上記（６Ｅ）参照）から、感光体ベルトは、帯電させた後、露光せずに現像されていることが分かる。また、上記（６Ｆ）の記載から、この感光体ベルトの表面電位の調整が、その他の調整に先立って行われることが分かる。
　以上のことをまとめると、刊行物６には、帯電させた感光体ベルトを露光せずに現像し、現像されたトナー濃度が目標どおりになるように表面電位を調整することが記載されており、しかも、この調整をその他の調整に先立って行うことも記載されている。すなわち、相違点１は、刊行物６に記載されている。
　刊行物５に記載された発明と、刊行物６に記載された事項とは、いずれも電子写真技術を用いた画像形成装置の画質の調整に関するものである点で共通している。したがって、刊行物６に記載された事項を刊行物５に記載された発明に適用し、相違点１の構成を得ることは、当業者であれば容易に考え付くことである。
　
４.２.２. 相違点２について
　刊行物１には、標準板によって反射された光源からの光を受光装置で検出し、標準板の濃度に対応した受光装置の出力信号が正常値ではない場合、受光装置の出力信号と光源点灯電圧との対応を表す特性曲線を、平行移動させる補正することが記載されている（上記（１Ｃ）、（１Ｄ）および（１Ｅ）参照）。その後、受光装置は、原稿からの反射光を検出し、その検知信号に基づいて原稿濃度が決定され、その原稿濃度と補正された特性曲線とから光源点灯電圧が決定される（上記（１Ｆ）参照）。したがって、受光装置の出力信号と光源点灯電圧との対応を表す特性曲線はまた、原稿濃度と光源点灯電圧との対応を表す特性曲線でもある。
　ここで、標準板の反射濃度は既知かつ一定である（上記（１Ｄ）参照）。したがって、標準板によって反射された光源からの光を検出するということは、結局のところ、光源からの光を検出することであると言える。
　刊行物１には、受光装置からの出力信号が正常値でなくなる原因として、受光装置の特性変化、ほこりなどが挙げられている（上記（１Ｂ）参照）。受光装置の特性変化はさておき、ほこりが原因となって受光装置からの出力信号が正常値でなくなるのは、光源からの光がほこりによって弱められ、受光装置に入射する光の強度が低下するからである。そうすると、ほこりが原因となって受光装置からの出力信号が正常値でなくなることは、ほこりが原因となって光源からの光の強度が低下することとして把握することができる。なお、本願明細書においても、コピーランプ光量の低下の原因として、コピーランプの経年変化および光学系の表面に付着した塵埃が挙げられている（発明の詳細な説明、段落０００８）。
　以上のことをまとめると、刊行物１には、光源からの光の強度を検出し、その検出結果に応じて、原稿濃度と光源点灯電圧との対応を表す特性曲線を補正することが記載されている。すなわち、相違点２の構成は、刊行物１に記載されている。
　刊行物５に記載された発明も、刊行物１に記載された事項も、いずれも電子写真技術を用いた画像形成装置の自動露光調整方法に関するものであるから、刊行物５に記載された発明において、複写原稿の濃度に対する光源電圧の対応表を補正するために、グレイパッチ像の画像濃度を基準値と比較する手法に代えて、刊行物１に記載された、光源の強度を基準値と比較する手法を採用することは、当業者であれば、容易に思い付くことである。そして、刊行物１に記載された手法を採用し、光源の強度を基準値と比較するようにすれば、複写原稿の濃度に対する光源点灯電圧の対応表の補正を、グレイパッチ像の形成せずに行えることは明らかであるから、この補正をグレイパッチ像の形成前に行うか形成後に行うかは、当業者が適宜変更し得る設計事項にすぎない。
　したがって、相違点２の構成は、刊行物１に記載された事項に基づき、当業者が容易に考え付くことである。
　
４.２.３. 相違点３について
　自動露光調整を行う際には、複写原稿の濃度を測定する必要があるが、刊行物４には、この測定を、本スキャンと同時ではなく、本スキャンの前に行う予備スキャンで行ってもよいことが記載されている。そして、刊行物４には、予備スキャンの結果に基づいて画像形成条件（刊行物４の例では、現像バイアス）を変化させることも記載されている。
　刊行物５に記載された発明も、刊行物４に記載された事項も、いずれも自動露光調整に関するものであるから、刊行物４に記載された事項を刊行物５に記載された発明に適用し、相違点３の構成を得ることは、当業者であれば容易に考え付くことである。
　
４.３. まとめ
　以上に述べたとおり、相違点１〜３の構成は、いずれも刊行物１および４〜６に記載された発明に基づいて、当業者が容易に考え付くものにすぎない。また、本願発明は、相違点１〜３の構成が相俟って、刊行物１および４〜６に記載された事項からは窺い知ることができない格別の作用効果を奏するものでもない。
　
５. 請求人の主張に対する当審の見解
　請求人は、平成１２年７月１４日に提出された手続補正書により補正された審判請求書の「本願発明が特許されるべき理由　１．請求項１に係る発明の説明」において、「上記本願独特の構成により、『（ａ）機械の回転を伴うテスト回数を削減でき、γ補正の所要時間を短縮できる　（ｂ）自動濃度選択のコピー濃度が、初期の性能を維持できる　（ｃ）γ補正のテスト毎に発光する回数が少なくなるので、ユーザに与える不快感を低減できる　（ｄ）コピーランプの発光効率が低下しても、常に適切な濃度で複写できる』といった特有の効果を奏することができます（以降、効果（ａ）乃至（ｄ）と略す）。」と主張している。そして、「４．請求項１に係る発明と引例との対比」において、さらに、「上記引例１乃至引例５（当審注：「刊行物１乃至刊行物５」のこと。以下同じ。）は、…上記効果（ａ）、効果（ｃ）及び効果（ｄ）を奏することもできず、それらの示唆すらありません。」と主張している。
　そこでまず、効果（ｂ）および（ｄ）について検討すると、これらの効果は、静電潜像形成用光源の強度を検出し、その強度の基準値からのずれ（基準値との差分）に応じて、複写原稿の濃度に対する画像形成条件の対応表を補正することによって得られるものであると認められる。しかし、刊行物５に記載された発明に刊行物１に記載された事項を適用することにより、効果（ｂ）および（ｄ）が得られることは、刊行物１の「この種の濃度調整は、…標準板１４と原稿１３からの反射光から得られる情報に基づき、…画像形成条件の一つまたは複数を可変することで行なわれているため、…受光装置１５が特性変化したり、ほこり等の何らかの原因で変化を生じた場合は、初期に決められた特性に反し、濃度検知が正確に行なわれなくなる。そのために、所望の画像濃度のものを得ることができなくなる。」（上記（１Ｂ）参照）という記載から、当業者であれば容易に予想できることである。
　したがって、「上記引例１乃至引例５は、…上記…効果（ｄ）を奏することもできず、それらの示唆すらありません。」という請求人の主張は、採用することができない。また、上記効果（ｂ）および（ｄ）に格別の技術的意義を認めることもできない。
　次に、効果（ａ）および（ｃ）について検討すると、本願明細書の発明の詳細な説明に、「本発明においては、コピーランプの発光効率低下があっても、つねに初期の光度を発生するコピーランプ電圧からγ補正を開始することができるので、コピーランプ電圧値の補正量が少なくてすみ、γ補正のためのテスト回数を減少することができる。…さらにγ補正のテスト毎に発光する回数が少なくなるので、ユーザに与える不快感を低減でき、コピーランプの発光効率が低下しても、常に適切な濃度で複写できる。」（段落００１２）と記載されていることから判断して、効果（ａ）および（ｃ）は、「コピーランプの発光効率低下があっても、つねに初期の光度を発生するコピーランプ電圧からγ補正を開始する」ことによって得られるものであると認められる。そして、そのためには、本願明細書の発明の詳細な説明に、「次に、ＡＥセンサ２７に入力する光源ランプの光度を測定して、初期のランプ光度との差分に…光源ランプを初期光度に合わせるランプ電圧補正が行われる（Ｓ３４）。」（段落００１９）と記載され、また、「次に、ミラーベースをグレイパッチ２９の下へ移動して（Ｓ７）、ランプ電圧を初期値ＶＬ０に設定する（Ｓ８）。次いで、このランプ電圧で、ランプを点灯し（Ｓ９）、ＡＥセンサ２７でランプ光度を検出する（Ｓ１０）。検出されたランプ光度Ｌと初期ランプ光度Ｌ０とを比較し（Ｓ１１）、許容範囲内であればＳ１６へ移る。ランプ光度が許容範囲を超えていれば、検出されたランプ光度と初期ランプ光度との差ΔＬ＝Ｌ−Ｌ０に応じて…ランプ電圧を更新して（Ｓ１３）、再度ランプ光度を検出する（Ｓ１４）。次いで、ランプ光度が許容範囲内かどうかを調べる（Ｓ１５）。ランプ光度が許容範囲内であればＳ１６へ移るが、そうでなければ、再度ランプ電圧を更新するステップＳ１３へ移りランプ光度調整を繰り返す。」（段落００３５）と記載されていることから判断して、グレイパッチ像を用いるγ補正を開始する前に、ランプ電圧を調整して、ランプ光度を初期ランプ光度に合わせる必要がある。しかし、請求項１には、これに対応する構成が記載されていない。
　したがって、効果（ａ）および（ｃ）は、特許請求の範囲に記載された発明に係るものではなく、本願発明がこれらの効果を奏するという請求人の主張には根拠がない。
　なお、刊行物１には、光源の光量を所定量に安定化することも記載されている（上記（１Ｄ）参照）。したがって、仮に効果（ａ）および（ｃ）に対応する構成が請求項１に記載されていたとしても、そのような構成は、刊行物５に記載された発明に刊行物１に記載された事項を適用することによって得られるものにすぎず、この点に格別の技術的意義を認めることはできない。
　
６. むすび
　以上のとおりであるから、本願発明は、刊行物１および４〜６に記載された発明に基づき、当業者が容易に発明をすることができたものである。
　したがって、本願発明２は、特許法第２９条第２項の規定により、特許を受けることができない。
　よって、結論のとおり審決する。